(57)【要約】      （修正有）【課題】一側に余白を設けず偏らせてフィルムを巻き付けても変形のおそれが少なく、巻き取られたフィルムに皺などが生じず高品質の状態でフィルムを運搬・保管等することのできるフィルム巻取用リールを提供する。【解決手段】外輪ＯＷと、内輪ＩＷと、外輪ＯＷの内周面と内輪ＩＷの外周面とに連設されるとともに外輪ＯＷ及び内輪ＩＷの軸心回りに複数枚設けられたスポーク板ＳＢとが備えられ全体が円筒状のフィルム巻取用リールＦＲ１において、外輪ＯＷの軸心方向における一側寄りの内周面に沿って、各スポーク板ＳＢ間に、内輪ＩＷの外周面方向に向けて突出された補強部ＲＦ１を設けた。【選択図】図１
0003172995.tif 000002
【実用新案登録請求の範囲】
【請求項１】
外輪と、内輪と、前記外輪の内周面と前記内輪の外周面とに連設されるとともに前記外輪及び前記内輪の軸心回りに複数枚設けられたスポーク板とが備えられ全体が円筒状のフィルム巻取用リールであって、
前記外輪の軸心方向における一側寄りの内周面に沿って、前記各スポーク板間に、前記内輪の外周面方向に向けて突出された補強部が設けられたことを特徴とするフィルム巻取用リール。
【請求項２】
前記外輪の内周面において、前記補強部が設けられる前記外輪の一側寄りから前記外輪の他側寄りにかけて、前記外輪の一側寄りが前記内輪の外周面方向に向けてより突出するように傾斜されたテーパー部が前記補強部に連設されたことを特徴とする請求項１に記載のフィルム巻取用リール。
【請求項３】
前記フィルム巻取用リールの軸心方向における前記補強部の断面形状が矩形状であることを特徴とする請求項１又は請求項２に記載のフィルム巻取用リール
【請求項４】
前記フィルム巻取用リールの軸心方向における前記補強部の断面形状において、フィルム巻取用リールの内側方向の部位が円弧状であることを特徴とする請求項１又は請求項２に記載のフィルム巻取用リール。
【請求項５】
前記補強部が前記外輪の一側寄り及び他側寄りにそれぞれ設けられたことを特徴とする請求項１から請求項４のいずれかに記載のフィルム巻取用リール。
【考案の詳細な説明】
【技術分野】
【０００１】
この考案は、フィルム巻取用リールに関し、特に、外輪と内輪とを備えるとともに外輪と内輪とをスポークで連結したいわゆる「二重管構造」のフィルム巻取用リールに関する。
【背景技術】
【０００２】
従来、外輪と内輪とを備えるとともに外輪と内輪とをスポークで連結したいわゆる「二重管構造」に形成された円筒状のフィルム巻取用リールが知られている。巻取用リールは、周知のサーフェイスドライブ式フィルム巻取機やセンタードライブ式フィルム巻取機に取り付けられ、巻取用リールの胴部の表面にフィルムが巻き取られ、運搬・保管の差異には、利便性の点から、通常、フィルムは巻芯に巻き取られた状態、すなわち巻取ロールとして取引され、フィルムを消費した後にはリール自体が回収されてリサイクル・リユース利用されている。
【０００３】
このような巻取用リールには、円筒状の胴部の両側にフランジを備えないタイプのものが知られている。フランジを備えない巻取用リールは、フランジ付の巻取用リールに比べて、体積・重量・フランジを含んだ外径のいずれをも低減できるため、運搬や保管の点で有利であり、フィルム巻取用リールにおいて広く用いられている。
【０００４】
このフランジのない巻取用リールを用いてフィルムを運搬や保管する場合には、保管等の際にフィルムの品質にできる限り影響を及ぼさないようにすることが望まれる。このため、フィルムが巻き取られた巻取用リールが転動して巻き取られているフィルムが損傷しないようにするために、巻き取られたフィルムの軸心を縦にして、すなわち巻取用リールの軸心を縦にして、巻き取られたフィルム及び巻取用リールの側面が保管場所の床面等に接する向きとされて運搬・保管等がされている（特許文献１参照）。
【先行技術文献】
【特許文献】
【０００５】
【特許文献１】特開平６−１５６８２６号公報、図１等
【考案の概要】
【考案が解決しようとする課題】
【０００６】
しかしながら、このような従来のフィルム巻取用リールでは、以下のような問題があった。前述したように巻き取られたフィルムの軸心を縦にしている場合、巻取用リールの床面側に余白が残されてフィルムが巻き取られた状態では、運搬時の振動や長期間の保管によるフィルムの自重作用により、巻き取られたフィルムがその軸心方向下方に降下するなど、フィルムの巻き位置がずれてしまい、加工時のフィルムの位置設定や基準値の決定が煩雑化するおそれがあった。また、場合によってはフィルムが損傷することもあった。このため、図８に示されるように、フィルムＦの巻取時に、フィルム巻取用リール１０の軸方向の一端側に余白を残さないようにする一方、他端側にのみ余白ＳＰを残すようにフィルムＦを偏らせて巻き取って、この余白を残さないようにした側（図８に示す左側）を下にして巻取用リール１０を運搬や保管するようにしていた。
【０００７】
ところが一方、このようにして巻取用リール１０の軸方向の一端側に寄せてフィルムＦを巻き取ると、巻取用リール１０の外周面の一側に偏らせた状態でフィルムＦが積層されるため、フィルム張力による巻き締まりの応力が巻取用リール１０の一側（図８の例においては左側）に集中的に作用する。フィルムＦを巻き取る際には、フィルムＦに皺などが生じないようにするためにフィルムＦの種類等に応じて一定以上の張力をかけて巻き取る必要がある。このため、巻取用リール１０の一側に集中してかかる応力により、二重管構造のうちの外輪ＯＷ部分が変形するなどの問題があった。そして、このような巻取用リール１０の変形により、フィルムＦ表面が「波」を打つように変形して巻き取り時にフィルムＦに「皺」が生じたり、巻き取り作業後における運搬時・保管時や、その後のフィルムＦの加工時などにおいても、この変形が要因となって事後的に皺が生じるなどの問題があった。
【０００８】
本考案が解決しようとする目的は、前述の従来技術の問題点を解決するものであり、一側に余白を設けず偏らせてフィルムを巻き付けても変形のおそれが少なく、巻き取られたフィルムに皺などが生じず高品質の状態でフィルムを運搬・保管等することのできるフィルム巻取用リールを提供することにある。
【課題を解決するための手段】
【０００９】
上記課題を解決するものは以下のものである。
（１）外輪と、内輪と、前記外輪の内周面と前記内輪の外周面とに連設されるとともに前記外輪及び前記内輪の軸心回りに複数枚設けられたスポーク板とが備えられ全体が円筒状のフィルム巻取用リールであって、
前記外輪の軸心方向における一側寄りの内周面に沿って、前記各スポーク板間に、前記内輪の外周面方向に向けて突出された補強部が設けられたことを特徴とするフィルム巻取用リール。
【００１０】
本考案では、前述したような補強部が設けられているので、各スポーク板間の一側寄りの外輪の部位を補強することができる。よって、外輪の一側寄りに偏らせて巻取用リールにフィルムを巻き取った場合でも、巻取用リールの外輪の変形のおそれを少なくすることができる。一方、本考案は、外輪の内周面の一側寄りにのみ補強部を突設しているだけなので、補強部を設けない巻取用リールと比べても、体積増・重量増は著しくなく、運搬・保管等のコストを増加させることはあまりない。また、体積増・重量増が抑えられるので材料費が増大するおそれも避けることができる。また、補強部は外輪の内周面において内輪の外周面方向に向けて突設されているだけなので、このような補強部を備えない巻取用リールと比べて外径の変化は無い。したがって、保管スペースを広く取る必要もないので、この点においても保管等のコスト低減に寄与する。
【００１１】
（２）前記外輪の内周面において、前記補強部が設けられる前記外輪の一側寄りから前記外輪の他側寄りにかけて、前記外輪の一側寄りが前記内輪の外周面方向に向けてより突出するように傾斜されたテーパー部が前記補強部に連設されたことを特徴とするフィルム巻取用リール。
【００１２】
前述した補強部に加えて、さらにこのようなテーパ―部を設けることにより、より一層外輪の強度を増すことができる。また、一側寄りのみならず他側にかけても外輪の強度を増すことができる。
【００１３】
（３）前記フィルム巻取用リールの軸心方向における前記補強部の断面形状が矩形状であることを特徴とするフィルム巻取用リール。
【００１４】
補強部の断面形状についてこのような矩形状としたものである。
【００１５】
（４）前記フィルム巻取用リールの軸心方向における前記補強部の断面形状において、フィルム巻取用リールの内側方向の部位が円弧状であることを特徴とするフィルム巻取用リール。
【００１６】
補強部の断面形状をこのように円弧状とすることにより、補強部自体にかかる応力を分散し補強部自体の強度を増すことができる。
【００１７】
（５）前記補強部が前記外輪の一側寄り及び他側寄りにそれぞれ設けられたことを特徴とするフィルム巻取用リール。
【００１８】
このように補強部を一側寄り及び他側寄りの両方に設けることにより、フィルム巻取り用リールの軸心方向のいずれ側に補強部があるかを確認しなくても、フィルムを偏らせて巻き付けた一側又は他側のいずれにも補強部が備えられているので、巻取用リールの取付間違いを生ずることがない。
【考案の効果】
【００１９】
本考案のフィルム巻取用リールは、前述の構成のような補強部を備えているので、外輪の一側寄りに偏らせて巻取用リールにフィルムを巻きとる場合でも、製造コスト・運搬及び保管コストを抑えながら巻取用リールの外輪の変形のおそれを少なくすることができ、巻き取られたフィルムの皺の発生やフィルムの断裂などの破損のおそれを減少することができる。また、リサイクル・リユースの利用に支障をきたすおそれもなく、環境保護にも寄与することができる。
【図面の簡単な説明】
【００２０】
【図１】図１は、本考案のフィルム巻取用リールの正面図である。
【図２】図２は、本考案のフィルム巻取用リールの背面図である。
【図３】図３は、図１のフィルム巻取用リールの要部断面図である。
【図４】図４は、フィルムを巻き付ける際のフィルム巻取用リールの側面図である。
【図５】図５は、本考案の別のフィルム巻取用リールの要部断面図である。
【図６】図６は、本考案のさらに別のフィルム巻取用リールの要部断面図である。
【図７】図７は、本考案のさらに別のフィルム巻取用リールの要部断面図である。
【図８】図８は、従来のフィルム巻取用リールの要部断面図である。
【考案を実施するための形態】
【００２１】
本考案のフィルム巻取用リールについて、図面を参照して詳細に説明する。本考案のフィルム巻取用リールＦＲ１は、図１及び図２に示されるように、正面視における外形が真円形状の円筒状に形成された「二重管構造」とされるものである。後述するように、このフィルム巻取用リールＦＲ１は、その外周面にフィルムＦを多層に渡って巻き取り、フィルム巻取用リールＦＲ１ごとフィルムＦを取引・流通させるためのものである。
【００２２】
フィルム巻取用リールＦＲ１は、中心からみて外側の外輪ＯＷと、内側の内輪ＩＷとを備えた二重管構造に形成されている。外輪ＯＷの外径は、本例では、１８７．７ｍｍとされているが、巻き取られるフィルムＦの種類やフィルム巻取用リールＦＲ１が取り付けられる巻取機の種類等によって、必要に応じて適宜変更可能であり、例えば、６インチ、８インチ、９インチなどとすることもできる。また、本例では、外輪ＯＷの厚みは６．１５ｍｍとされているが、これに限られず他の厚みに変更することは可能である。また、外輪ＯＷの軸心方向の長さは、本例では、１２０ｍｍとされているが、巻き付けられるフィルムＦの種類やフィルム巻取用リールＦＲ１が取り付けられる巻取機の種類等によって必要に応じて適宜変更可能である。
【００２３】
一方、内輪ＩＷの内径は、本例では、７６．３ｍｍとされているが、巻取機の巻取中心軸の外径によって必要に応じて適宜変更可能であり、例えば、３インチなどとすることもできる。また、内輪ＩＷの外径は、本例では、８６．４ｍｍとされており、内輪ＩＷの厚みは５．０５ｍｍとされているが、これに限られず他の厚みに変更することも可能である。また、内輪ＩＷの軸心方向の長さは、本例では、外輪ＯＷの長さよりも僅かに短く１１９．７ｍｍとされているが、巻き付けられるフィルムＦの種類やフィルム巻取用リールＦＲ１が取り付けられる巻取機の種類等によって必要に応じて適宜変更可能である。そして、これらの外輪ＯＷと内輪ＩＷとが、その軸心を揃えて正面視において二重となる二重管構造に構成されている。
【００２４】
外輪ＯＷと内輪ＩＷとは、複数枚のスポーク板ＳＢによって連設されている。スポーク板ＳＢは、本例では、フィルム巻取用リールＦＲ１の軸心回りに、等角度で放射状に、８つ設けられているが、これらの数に限定されるものではない。また、スポーク板ＳＢの厚みは５ｍｍとされているが、これに限られず他の厚みに変更することは可能である。また、スポーク板ＳＢの軸心方向の長さは、本例では、内輪ＩＷの長さよりも僅かに短く１１９．５ｍｍとされているが、巻き付けられるフィルムＦの種類やフィルム巻取用リールＦＲ１が取り付けられる巻取機の種類等によって必要に応じて適宜変更される外輪ＯＷ及び内輪ＩＷの長さに応じて適宜変更可能である。
【００２５】
次いで、フィルム巻取用リールＦＲ１の補強部ＲＦ１について説明する。補強部ＲＦ１は外輪ＯＷの内周面側であって、フィルム巻取用リールＦＲ１の軸心方向の正面側（一側）寄りに形成されている。よって、フィルム巻取用リールＦＲ１の軸心方向の正面側寄りにおいて、この補強部ＲＦ１により外輪ＯＷの補強がなすことが可能となる。図３に示されるように、補強部ＲＦ１は、フィルム巻取用リールＦＲ１の軸心方向における断面形状が「矩形状」に形成されている。そして、この補強部ＲＦ１が、内輪ＩＷの外周面方向、すなわちフィルム巻取用リールＦＲ１の軸心に向かって突設されている。
【００２６】
補強部ＲＦ１は、フィルム巻取用リールＦＲ１の軸心方向における断面において、フィルム巻取用リールＦＲ１の軸心方向における長さが８ｍｍに、フィルム巻取用リールＦＲ１の径方向における長さが８．８５ｍｍにされた長方形状（矩形状）とされている。そして、この補強部ＲＦ１は、図１及び図２に示されるように、外輪ＯＷの内周面側に、外輪ＯＷの周方向に沿って突設されている。よってまた、前述したスポーク板ＳＢの径方向の外側端部ＳＢ１においては、これらの補強部ＲＦ１と各スポーク板ＳＢの径方向の外側端部ＳＢ１が連設されるように形成されており、フィルム巻取用リールＦＲ１の背面側から見ると（図２参照）、補強部ＲＦ１は、各スポーク板ＳＢの外側端部ＳＢ１間に形成されているように見える。そして、本例における補強部ＲＦ１は上記のように極めて簡単な形状であり、かつフィルム巻取用リールＦＲ１の全体に対しては極めて小さく構成されているので、その製造コストの増加を抑えることが可能である。
【００２７】
このように形成されたフィルム巻取用リールＦＲ１は全体が一体に成形されており、その材質は本例ではＡＢＳ樹脂とされているが、これらに限られず用途に応じて他の樹脂とすることができ、例えば、ＰＳ樹脂、ＰＰ樹脂、ＰＶＣ樹脂、その他強化ガラスナイロン樹脂等としても良い。
【００２８】
次いで、図３及び図４を参照して、フィルム巻取用リールＦＲ１を用いたサーフェイスドライブ式巻取機によるフィルムの巻取方法の一例について説明する。図４に示されるように、成形機、繰出機など（図示せず）から繰り出された巻き取りの対象であるシート状のフィルムＦは、巻取張力を検知するテンションロール１、シート・フィルムを引っ張るガイドロール、シート・フィルムのしわを取るエキスパンダーロールなどの各種ロールを介して、矢印Ａの方向に運ばれる。そして、フィルムＦは、表面駆動ロール２によってフィルム巻取用リールＦＲ１が回転駆動されることにより、フィルム巻取用リールＦＲ１の外輪ＯＷの外周面に巻き取られていく。
【００２９】
そして、この巻取の際には、図３に示されるように、フィルムＦは、フィルム巻取用リールＦＲ１の外輪ＯＷの外周面において、正面側寄りに偏らせて巻き取られ、反対側の背面側寄りの外輪ＯＷの外周面上には余白ＳＰを残す一方、正面側寄りの外輪ＯＷの外周面上には余白ＳＰを残すことなくフィルムＦが積層するように巻き取られていく。この際に、フィルムＦがフィルム巻取用リールＦＲ１の正面側寄りに偏らせて巻き取られているために、フィルムＦの種類・厚みその他の条件により一定の張力により巻き取られるフィルムＦ層の巻き締まりの応力は、特に、フィルム巻取用リールＦＲ１の正面側寄りの外輪ＯＷに強く作用する。また、フィルムＦが徐々に積層していくに従い、この応力も強くなっていく。そして、この応力の作用は、フィルムＦの巻き取り時だけではなく、フィルムＦの巻取り後の運搬・保管時にも継続的に作用する。
【００３０】
しかしながら、前述したように、本例のフィルム巻取用リールＦＲ１の正面側の外輪ＯＷの端部には補強部ＲＦ１が設けられているので、このようなフィルムＦの巻き締まりによる応力に対して、外輪ＯＷ等が変形や損傷するおそれを低減することができる。また、僅かな材料の増加と僅かな製造コストの追加によって、このような補強を確実に行うことができる。
【００３１】
なお、本考案において用いるフィルムＦは、工業的に用いられている樹脂を使用した単層フィルム、積層フィルムどちらでも良く、これらフィルムの表面に帯電防止剤等の加工処理を行ったフィルムで有っても良い。また、フィルムＦを構成する樹脂としては、特に限定されないが、ポリエチレンテレフタレート（ＰＥＴ）、ポリエチレンナフタレート（ＰＥＮ）、ポリエチレンテレフタレートとポリエチレンナフタレートとの混合物などのポリエステル類、ポリプロピレンやポリエチレンなどのポリオレフィン類、ポリ塩化ビニル系樹脂やスチレン系樹脂などを挙げることができる。又、これらの混合物などを用いることができる。しかしながら、これらに限定されるものではない。
【００３２】
次いで、図５を参照して、本考案の別のフィルム巻取用リールＦＲ２について説明する。フィルム巻取用リールＦＲ２は、前述したフィルム巻取用リールＦＲ１の補強部ＲＦ１とは異なる断面形状の補強部ＲＦ２を備えたものである。この補強部ＲＦ２は、フィルム巻取用リールＦＲ２の外輪ＯＷの内周面側であって、フィルム巻取用リールＦＲ２の軸心方向の正面側（一側）寄りに形成されている。そして、補強部ＲＦ２は、フィルム巻取用リールＦＲ１の軸心方向におけるフィルム巻取用リールＦＲ２の内側方向の部位の断面形状が円形状（円弧状）に形成されている。そしてまた、この補強部ＲＦ２が、内輪ＩＷの外周面方向、すなわちフィルム巻取用リールＦＲ２の軸心に向かって突設されている。このような補強部ＲＦ２を備えたフィルム巻取用リールＦＲ２では、補強部ＲＦ２の先端がフィルム巻取用リールＦＲ２の内側方向（背面側方向）に座屈し難くなるように補強部ＦＲ２自体の強度を増すことができ、外輪ＯＷの補強をより確実にすることができる。
【００３３】
次いで、図６を参照して、本考案のさらに別のフィルム巻取用リールＦＲ３について説明する。フィルム巻取用リールＦＲ３は、前述したフィルム巻取用リールＦＲ１、ＦＲ２とは異なり補強部ＲＦ３に加えてさらにテーパ―部ＴＰを備えたものである。図６に示されるように、このフィルム巻取用リールＦＲ３の補強部ＲＦ３は、フィルム巻取用リールＦＲ３の軸心方向におけるフィルム巻取用リールＦＲ３の内側方向の部位の断面形状が円形状（円弧状）に形成されている。そして、外輪ＯＷの内周面に、フィルム巻取用リールＦＲ３の軸心方向において、補強部ＲＦ３から反対側のフィルム巻取用リールＦＲ３背面側端部にかけて、この補強部ＲＦ３の内側端部に連設されたテーパ―部ＴＰが設けられている。テーパ―部ＴＰは、補強部ＲＦ３側がよりフィルム巻取用リールＦＲ３の径方向内側寄りに突出し、一方、補強部ＲＦ３と反対側がフィルム巻取用リールＦＲ３の径方向外側寄りとなるようにテーパ―状にその先端部が形成されている。このような補強部ＲＦ３及びテーパ―部ＴＰを備えたフィルム巻取用リールＦＲ３では、補強部ＲＦ３の先端がフィルム巻取用リールＦＲ３の内側方向（背面側方向）に座屈し難くなるように補強部ＦＲ３自体の強度を増すことができるとともに、補強部ＲＦ３側がより高く傾斜されてリブ状に突設されたテーパ―部ＴＰとされることにより、外輪ＯＷの補強をさらにより確実なものとすることができる。
【００３４】
次いで、図７を参照して、本考案のさらに別のフィルム巻取用リールＦＲ４について説明する。フィルム巻取用リールＦＲ４は、前述したフィルム巻取用リールＦＲ１の補強部ＲＦ１を、フィルム巻取用リールＦＲ４の正面側端部及び背面側端部の両方にそれぞれ備えたものである。このように補強部ＲＦ１を設けることにより、フィルム巻取用リールＦＲ４をその軸心方向において対称となる形状とすることができる。よって、フィルム巻取用リールＦＲ４の前後の向きを確認せずに、その正面側又は背面側のいずれの位置に偏らせてフィルムＦを巻き取らせても、いずれの部位においても補強部ＲＦ１が存在することになる。よって、巻取作業時において、フィルム巻取用リールＦＲ４の前後の向きを確認する作業を省略することができるので、補強部ＲＦ１を設けたにもかかわらずフィルム巻取用リールＦＲ４の取付の向きを間違えたためにフィルム巻取用リールＦＲ４が変形してしまうというような問題を解消することができ、作業性及び利便性の良いフィルム巻取用リールＦＲ４とすることができる。
【００３５】
本考案においては以上のいずれの例においても、フィルム巻取用リールＦＲ１〜ＦＲ４の軸心方向においてフィルムＦを偏らせて巻きつける場合において、僅かに補強部・テーパ部を追加して構成するだけで十分な補強効果を得ることができる。よって、その製造コスト、運搬・保管コスト、リサイクル・リユースコストなどを低減させることができる。
【００３６】
なお、以上の各例のように、本考案においては、種々の補強部ＲＦ１〜ＲＦ３の態様、及びテーパ部ＴＰを備える態様を備えるものとして構成することができるが、本考案はこれらに限られる主旨ではなく、例えば、前述した種々の異なる形状の補強部ＲＦ１〜ＲＦ３を組み合わせてフィルム巻取用リールの正面側及び背面側の両方にそれぞれ設けることも可能である。また、補強部の大きさ・形状は適宜変更可能である。
【産業上の利用可能性】
【００３７】
本考案はフィルム巻取用リールについて広く用いることができる。
【符号の説明】
【００３８】
ＦＲ１〜ＦＲ４；フィルム巻取用リール、ＯＷ；外輪、ＩＷ；内輪、ＳＢ；スポーク板、ＳＢ１；外側端部、ＲＦ１〜ＲＦ３；補強部、ＴＰ；テーパ―部、Ｆ；フィルム、ＳＰ；余白、１；テンションロール、２；表面駆動ロール、１０；フィルム巻取用リール。
【図１】
0003172995.tif 000003
【図２】
0003172995.tif 000004
【図３】
0003172995.tif 000005
【図４】
0003172995.tif 000006
【図５】
0003172995.tif 000007
【図６】
0003172995.tif 000008
【図７】
0003172995.tif 000009
【図８】
0003172995.tif 000010